(57)【特許請求の範囲】
【請求項１】
主表面を有し、前記主表面に複数のリブが設けられたパネル本体と、
複数の前記リブが位置する部分を除いて、前記パネル本体の前記主表面に形成された防水滑り止め部材と、
下地面と壁面とのコーナーに沿って配置されるコーナー部材と
を備え、
前記パネル本体の前記主表面では、前記パネル本体を下地面に固定する固定部材が取付けられる取付け領域が、前記リブによって規定され、
前記防水滑り止め部材は、
前記取付け領域に形成される第１防水滑り止め部材と、
前記取付け領域以外の領域に形成される第２防水滑り止め部材と
を含み、
前記パネル本体、前記第１防水滑り止め部材および前記第２防水滑り止め部材は、繊維強化プラスチックから形成された、防水施工パネル。
【請求項２】
複数の前記リブは、第１の方向に延在するリブと、前記第１の方向と交差する第２の方向に延在するリブとを含む、請求項１記載の防水施工パネル。
【請求項３】
複数の前記リブとして、それぞれ矩形状の枠となるパターンを有する複数のリブが、第１の方向に互いに間隔を隔てて形成されているとともに、前記第１の方向と交差する第２の方向に互いに間隔を隔てて形成され、
前記矩形状の枠となるパターンを有する前記リブによって囲まれた前記パネル本体の領域以外の領域は、前記取付け領域として、前記第１の方向に帯状に延在するとともに、前記第２の方向に帯状に延在し、
前記矩形状の枠となるパターンを有する前記リブによって囲まれた前記パネル本体の領域は、前記取付け領域以外の領域となる、請求項１記載の防水施工パネル。
【請求項４】
前記第２防水滑り止め部材は、前記取付け領域以外の領域にあらかじめ形成された、請求項１〜３のいずれかに記載の防水施工パネル。
【請求項５】
前記パネル本体の外縁に沿って鍔の部分が形成され、
前記取付け領域は、前記鍔の部分を含む、請求項１〜４のいずれかに記載の防水施工パネル。
【請求項６】
前記パネル本体を下地面に敷き詰める際に、前記パネル本体のサイズに満たない下地面の領域のサイズに対応する平板パネルを備えた、請求項１〜５のいずれかに記載の防水施工パネル。
【請求項７】
主表面を有し、前記主表面に複数のリブが設けられたパネル本体、および、下地面と壁面とのコーナーに沿って配置されるコーナー部材を含む防水施工パネルを用意する工程と、
下地面を洗浄する工程と、
下地面と壁面とのコーナーに沿って前記コーナー部材を配置する工程と、
前記主表面を上に向けて、前記パネル本体を床面に順次敷き詰める工程と、
複数の前記リブによって規定された前記パネル本体の所定の領域に貫通孔を開け、さらに、下地面から所定の深さの孔を開口する工程と、
前記貫通孔から前記孔に接着材を注入し、前記貫通孔から前記孔に向けてリベットを打ち込んで、前記パネル本体を下地面に固定する工程と、
複数の前記リブが位置する部分を除いて、前記パネル本体の前記主表面に防水滑り止め部材を形成する工程と
を備え、
前記パネル本体の前記主表面では、前記パネル本体を下地面に固定する固定部材が取付けられる取付け領域が、前記リブによって規定され、
前記防水滑り止め部材を形成する工程は、
前記取付け領域に第１防水滑り止め部材を形成する工程と、
前記取付け領域以外の領域に第２防水滑り止め部材を形成する工程と
を含み、
前記パネル本体、前記第１防水滑り止め部材および前記第２防水滑り止め部材は、繊維強化プラスチックから形成された、防水施工方法。
【請求項８】
前記防水滑り止め部材を形成する工程は、前記パネル本体における前記所定の領域を除いて、前記防水滑り止め部材を前記パネル本体にあらかじめ形成する工程を含む、請求項７記載の防水施工方法。
【請求項９】
前記防水滑り止め部材を形成する前に、複数の前記リブの上面に保護テープを張り付け、前記防水滑り止め部材を形成した後に、前記保護テープを除去する工程を備えた、請求項７または８に記載の防水施工方法。
【請求項１０】
前記防水施工パネルを用意する工程は、前記パネル本体を下地面に敷き詰める際に、前記パネル本体のサイズに満たない下地面の領域のサイズに対応する平板パネルを用意する工程を含み、
用意された前記平板パネルを前記下地面の領域に敷く工程を備えた、請求項７〜９のいずれかに記載の防水施工方法。
【発明の詳細な説明】
【技術分野】
【０００１】
本発明は、防水施工パネルおよび防水施工方法に関し、特に、厨房等の水廻りの水漏れに対する補修に使用する防水施工パネルと、その防水施工パネルを用いた防水施工方法とに関するものである。
【背景技術】
【０００２】
建物内に配置された、厨房、洗面所または風呂場等の水廻りにおいては、長年の使用等に伴って、水漏れが発生することがある。このような水漏れに対処するため、従来、さまざまな補修方法が提案されている（特許文献１、２、３）。
【先行技術文献】
【特許文献】
【０００３】
【特許文献１】特開平１１−３２４２４３号公報
【特許文献２】特開２００１−１９３２３０号公報
【特許文献３】特開２００２−２１２６４号公報
【発明の概要】
【発明が解決しようとする課題】
【０００４】
水廻りとして、特に、営業用として使用されている厨房では、水漏れを補修するために、厨房での作業を長時間止めることはできず、速やかな補修方法が求められている。
【０００５】
本発明は、そのような開発の一環でなされたものであり、一つの目的は、水漏れの補修を短時間で行うことができる防水施工パネルを提供することであり、他の目的は、その防水施工パネルを用いた防水施工方法を提供することである。
【課題を解決するための手段】
【０００６】
本発明に係る防水施工パネルは、パネル本体と防水滑り止め部材とコーナー部材とを備えている。パネル本体は、主表面を有し、その主表面に複数のリブが設けられている。防水滑り止め部材は、複数のリブが位置する部分を除いて、パネル本体の主表面に形成されている。コーナー部材は、下地面と壁面とのコーナーに沿って配置される。パネル本体の主表面では、パネル本体を下地面に固定する固定部材が取付けられる取付け領域が、リブによって規定される。防水滑り止め部材は、取付け領域に形成される第１防水滑り止め部材と、取付け領域以外の領域に形成される第２防水滑り止め部材とを含む。パネル本体、第１防水滑り止め部材および第２防水滑り止め部材は、繊維強化プラスチックから形成されている。
【０００７】
本発明に係る防水施工パネルによれば、コーナー部材を下地面と壁面とのコーナーに配置し、防水滑り止め部材が形成されたパネル本体を下地面に敷き詰めて固定することで、現場での防水施工作業を短時間で確実に行うことができる。
【０００８】
また、複数のリブは、第１の方向に延在するリブと、第１の方向と交差する第２の方向に延在するリブとを含むことが好ましい。
【０００９】
これにより、パネル本体の機械的強度を確保することができる。
また、複数のリブとして、それぞれ矩形状の枠となるパターンを有する複数のリブが、第１の方向に互いに間隔を隔てて形成されているとともに、前記第１の方向と交差する第２の方向に互いに間隔を隔てて形成され、矩形状の枠となるパターンを有するリブによって囲まれたパネル本体の領域以外の領域は、取付け領域として、第１の方向に帯状に延在するとともに、第２の方向に帯状に延在し、矩形状の枠となるパターンを有するリブによって囲まれたパネル本体の領域は、取付け領域以外の領域となることが好ましい。
【００１０】
また、第２防水滑り止め部材は、取付け領域以外の領域にあらかじめ形成されていることが好ましい。
【００１１】
これにより、現場での作業時間の短縮に貢献することができる。
また、パネル本体の外縁に沿って鍔の部分が形成され、取付け領域は、鍔の部分を含んでいることが好ましい。
【００１２】
これにより、パネル本体の外縁が固定されることで、パネル本体が床面から浮いてしまうのを確実に阻止することができる。
【００１３】
また、パネル本体を下地面に敷き詰める際に、パネル本体のサイズに満たない下地面の領域のサイズに対応する平板パネルを備えていることが好ましい。
【００１４】
これにより、任意の寸法の下地面に対して防水施工パネルを施工することができる。
本発明に係る防水施工方法は、以下の工程を備えている。主表面を有し、主表面に複数のリブが設けられたパネル本体、および、下地面と壁面とのコーナーに沿って配置されるコーナー部材を含む防水施工パネルを用意する。下地面を洗浄する。下地面と壁面とのコーナーに沿ってコーナ部材を配置する。主表面を上に向けて、パネル本体を床面に順次敷き詰める。複数のリブによって規定されたパネル本体の所定の領域に貫通孔を開け、さらに、下地面から所定の深さの孔を開口する。貫通孔から孔に接着材を注入し、貫通孔から孔に向けてリベットを打ち込んで、パネル本体を下地面に固定する。複数のリブが位置する部分を除いて、パネル本体の主表面に防水滑り止め部材を形成する。パネル本体の主表面では、パネル本体を下地面に固定する固定部材が取付けられる取付け領域が、リブによって規定されている。防水滑り止め部材を形成する工程は、取付け領域に第１防水滑り止め部材を形成する工程と、取付け領域以外の領域に第２防水滑り止め部材を形成する工程とを含む。パネル本体、第１防水滑り止め部材および第２防水滑り止め部材は、繊維強化プラスチックから形成されている。
【００１５】
本発明に係る防水施工方法によれば、パネル本体、コーナー部材を含む防水施工パネルを用意して、コーナー部材を下地面と壁面とのコーナーに配置し、パネル本体を下地面に敷き詰めて固定して、防水滑り止め部材を形成することで、現場での防水施工作業を短時間で確実に行うことができる。
【００１６】
防水滑り止め部材を形成する工程は、パネル本体における所定の領域を除いて、防水滑り止め部材をパネル本体にあらかじめ形成する工程を含んでいることが好ましい。
【００１７】
これにより、現場での防水施工作業時間をさらに短縮することができる。
また、防水滑り止め部材を形成する前に、複数のリブの上面に保護テープを張り付け、防水滑り止め部材を形成した後に、保護テープを除去する工程を備えていることが好ましい。
【００１８】
これにより、防水滑り止め部材を形成する際に、リブの上面が汚れたとしても、すぐにこれを取り除くことができる。
【００１９】
さらに、防水施工パネルを用意する工程は、パネル本体を下地面に敷き詰める際に、パネル本体のサイズに満たない下地面の領域のサイズに対応する平板パネルを用意する工程を含み、用意された平板パネルを下地面の領域に敷く工程を備えていることが好ましい。
【００２０】
これにより、任意の寸法の下地面に対して防水施工を施すことができる。
【図面の簡単な説明】
【００２１】
【図１】本発明の実施の形態に係る防水施工パネルのうち、パネル本体を示す平面図である。
【図２】同実施の形態において、図１に示す断面線ＩＩ−ＩＩにおける部分断面斜視図である。
【図３】同実施の形態において、防水施工パネルのうち、コーナー部材を示す斜視図である。
【図４】同実施の形態において、防水施工パネルのうち、平面パネルを示す斜視図である。
【図５】同実施の形態において、パネル本体を床面に固定するリベットを示す側面図である。
【図６】同実施の形態において、防水施工パネルを用いた厨房の防水施工方法の一工程を示す部分断面斜視図である。
【図７】同実施の形態において、図６に示す工程の後に行われる工程を示す部分断面斜視図である。
【図８】同実施の形態において、図７に示す工程の後に行われる工程を示す部分断面斜視図である。
【図９】同実施の形態において、図８に示す工程の後に行われる工程を示す部分断面斜視図である。
【図１０】同実施の形態において、図９に示す工程の後に行われる工程を示す部分断面斜視図である。
【図１１】同実施の形態において、図１０に示す工程の後に行われる工程を示す部分拡大断面斜視図である。
【図１２】同実施の形態において、図１１に示す工程の後に行われる工程を示す部分拡大断面斜視図である。
【図１３】同実施の形態において、図１２に示す工程の後に行われる工程を示す部分断面斜視図である。
【図１４】同実施の形態において、図１３に示す工程の後に行われる工程を示す部分断面斜視図である。
【図１５】同実施の形態において、変形例に係る防水施工方法の一工程を示す部分断面斜視図である。
【発明を実施するための形態】
【００２２】
まず、本発明の実施の形態に係る防水施工パネルについて説明する。
図１および図２に示すように、まず、防水施工パネル１は、床面（下地面）に敷き詰められるパネル本体３を備えている。パネル本体３では、板状部５の主表面に複数のリブ７が設けられている。このリブ７は、板状部５とともに、ＦＲＰ（Fiber Reinforced Plastic：繊維強化プラスチック）を一体的に成型することによって形成されている。
【００２３】
パネル本体３の長さＬＸ（Ｘ方向）は、たとえば、１０００ｍｍであり、長さＬＹ（Ｙ方向）は、たとえば、２０００ｍｍである。また、板状部５の厚さＬＴは、たとえば、１．５ｍｍであり、リブ７の幅ＬＷは、たとえば、３ｍｍである。
【００２４】
リブ７は、Ｘ方向に延在するリブ７と、Ｙ方向に延在するリブ７とを含んでいる。このパネル本体３では、一例として、リブ７は、矩形状の枠となるパターンをもって形成されている。パネル本体３では、リブ７が位置する部分を除いて、防水滑り止め部材９が形成されることになる。ここでは、リブ７によって取り囲まれた板状部５の領域（矩形状の枠の内側）に、あらかじめ、矩形の防水滑り止め部材９ａが形成されている。
【００２５】
また、リブ７によって、パネル本体３を床面に固定するリベットを打ち込む領域（部分）が規定されている。このパネル本体３では、リブ７によって取り囲まれた板状部５の領域以外の領域（領域Ａ）に、リベットを打ち込む領域（点線円の部分参照）が設けられている。なお、リベットが打ち込まれる部分として、この領域Ａには、パネル本体３の外縁に沿って位置する鍔の部分が含まれている。後述するように、リベットを打ち込む領域を含む領域Ａには、帯状の防水滑り止め部材９ｂ（図１２参照）が形成されることになる。
【００２６】
帯状の防水滑り止め部材を含む防水滑り止め部材９は、たとえば、パネル本体３と同様に、ＦＲＰから形成されており、表面には滑り止め加工が施されている。また、防水滑り止め部材９は、リブ７の上面と防水滑り止め部材９の上面（表面）とが、ほぼ面一となるように形成されている。
【００２７】
また、図３に示すように、防水施工パネル１は、床面と壁面とのコーナーに沿って配置されるコーナー部材１１を備えている。コーナー部材１１において、壁面に配置される部分の高さＬＨは、たとえば、１５０〜３００ｍｍ程度であり、床面に配置される部分の長さＬＣは、たとえば、３３〜３５ｍｍ程度である。また、コーナー部材１１の厚さＬＡは、たとえば、１．５ｍｍであり、コーナー部材１１の長さＬＤは、パネル本体３の長さＬＹ（２０００ｍｍ）に合わせられている。
【００２８】
さらに、図４に示すように、防水施工パネル１は、パネル本体３を床面に敷き詰める際に、パネル本体３のサイズに満たない床面の領域が生じた場合に、その領域に敷くための平板パネル１５を備えている。このため、平板パネル１５では、現場の状況に応じて、長さＬ１と長さＬ２とが設定されることになる。
【００２９】
また、図５に示すように、パネル本体３を床面に固定するために、リベット１３が使用される。リベット１３は、心棒１３ａを矢印側へ引っ張ることで、頭部１３ｂが筒状部１３ｃの内側に入り込んで筒状部１３ｃが膨らみ、その膨らんだ部分と鍔部１３ｄとで、パネル本体３がかしめられることになる。
【００３０】
次に、上述した防水施工パネル１による防水施工方法の一例として、厨房の床面の水漏れの補修方法について説明する。
【００３１】
まず、図６に示される厨房５０の床面５１の清掃を行う。このとき、水溜まりや油溜まりがあれば、これを除去する。なお、湿った状態（湿潤状態）は、施工可能とする。また、床面５１の不陸が甚だしい場合には、必要に応じて、速乾性のポリマーセメント系の下地調整材（図示せず）を使用し、床面５１を平らにする。さらに、コーナー部材が配置される壁面５３も清掃する。
【００３２】
次に、図７に示すように、床面５１と壁面５３とのコーナーに沿って、コーナー部材１１を配置する。次に、図８に示すように、一つのコーナー部材１１に当接するようにパネル本体３を床面５１に敷く。次に、図９に示すように、順次パネル本体３を床面５１に敷き詰める。パネル本体３のサイズに満たない床面５１の領域が生じた場合、そのサイズに対応する平板パネル１５を作製し、その領域に平板パネル１５を敷く。なお、コーナー部材１１、パネル本体３および平板パネル１５は、床面５１の寸法に対応したものを、あらかじめ用意しておくことで、作業の効率化を図ることができる。
【００３３】
次に、図１０に示すように、電動ドリルを用いて、パネル本体３の板状部５に、たとえば、直径約４．１〜４．２ｍｍφ程度の貫通孔５ａを開け、さらに、床面５１から１０〜２０ｍｍ程度の深さの孔５１ａを開ける。その後、孔５１ａの内部を清掃する。平板パネル１５についても、パネル本体３と同様に、貫通孔１５ａを開け、さらに、床面５１に孔５１ａを開ける。
【００３４】
次に、孔５１ａにエポキシ樹脂１７（図１１参照）を注入した後、図１１に示すように、リベット１３を貫通孔５ａに順次挿通して孔５１ａに打ち込む。その後、リベット１３の心棒を引き抜き、パネル本体３を床面５１に固定する。パネル本体３と同様に、平板パネル１５（図１３参照）についても、リベットによって床面５１に固定する。
【００３５】
次に、図１２に示すように、リベット１３を覆う態様で、リブ７とリブ７との間の領域を埋め込むように、帯状の防水滑り止め部材９ｂを配置する。また、図１３に示すように、平板パネル１５の寸法に基づいた防水滑り止め部材９ｃを用意し、平板パネル１５を覆うように、その防水滑り止め部材９ｃを配置する。
【００３６】
その後、防水滑り止め部材９ｂ、９ｃとリブ７等との間にさらに防水材を塗布するなど、所定の防水処理を行う。また、必要に応じて、さらに滑り止め処理を行う。こうして、図１４に示すように、防水施工パネル１を用いた厨房の一連の防水施工が完了する。
【００３７】
なお、防水材や滑り止め処理を行う際に、図１５に示すように、あらかじめ、リブ７の上面（ステッチ）にマスキングテープ１９を張り付けておき、作業が完了した後で、そのマスキングテープ１９を剥がすことで、リブ７の上面が汚れずに済む。
【００３８】
上述した防水施工パネル１を用いた防水施工方法では、防水施工を施すべき床面の寸法に対応したパネル本体３、防水滑り止め部材９およびコーナー部材１１等をあらかじめ用意し、パネル本体３を床面に敷き詰めて、リベット１３で固定し、リベット１３を覆うように防水滑り止め部材９をパネル本体３に形成することで、現場での防水施工作業を短時間で確実に行うことができる。
【００３９】
また、パネル本体を敷き詰める際に、床面の寸法によっては、パネル本体３のサイズに満たない床面の領域が生じる場合には、あらかじめ、その床面の領域に対応した平板パネル１５と防水滑り止め部材９ｃを用意しておいてもよいし、現場で作製してもよい。あらかじめ用意しておくことで、現場での作業時間の短縮に貢献することができる。また、平板パネル１５を敷いた後に、別途、防水滑り止め部材９ｃを敷く場合について説明したが、あらかじめ防水滑り止め加工が施された平板パネルを使用してもよい。
【００４０】
さらに、パネル本体３は、板状部５にリブ７が一体成型された繊維強化プラスチックから形成されていることで、比較的薄い板状部５でも、パネル本体３の機械的強度を確保することができる。そのリブ７によって規定される板状部５の領域のうち、リベットが打ち込まれる領域（部分）を除いて、防水滑り止め部材９ａをあらかじめ形成しておくことで、現場での作業時間のさらなる短縮に貢献することができる。
【００４１】
また、パネル本体３等を床面に固定するのに、リベット１３を用いることで、床面から潜り込む深さを、ネジ等に比べて比較的浅くすることができ、床面の下に配置された配管等への影響も抑えることができる。また、リベット１３を打ち込む際に、事前にエポキシ樹脂１７を注入しておくことで、リベットが抜けるのを防止することができる。なお、床面の下の状況が許されるのであれば、リベット１３以外の、たとえば、ネジ等を用いてパネル本体３等を床面に固定するようにしてもよい。
【００４２】
なお、上述した防水施工パネル１のパネル本体３では、リブ７が、矩形の枠となるパターンをもって形成された場合を例に挙げて説明した。リブとしては、このようなパターンに限られるものではなく、一の方向に延在するリブだけでもよいし、一の方向に延在するリブと一の方向と交差する他の方向に延在するリブとの双方のパターンを備えたリブでもよい。双方のパターンを備えたリブが形成されていることで、パネル本体の機械的強度を確保することができる。また、リブ７のパターンを、模様として配置することも可能である。
【００４３】
また、リブ７によって規定されるパネル本体３の領域のうち、リベット１３が打ち込まれない領域に、防水滑り止め部材９ａをあらかじめ形成した場合について説明したが、現場での防水施工の作業の際に、この防水滑り止め部材９ａをパネル本体３に形成するようにしてもよい。
【００４４】
また、パネル本体３等の寸法や厚さ等の値は、一例であって、これらの値に限られるものではなく、施工を行う場所によって、適宜適切な値が採用される。
【００４５】
また、上述した防水施工方法では、厨房の床面の防水施工を例に挙げて説明したが、厨房の床面に限られず、洗面所や風呂場等の水廻りの防水施工にも広く適用することができる。
【００４６】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００４７】
本発明は、水廻りの水漏れ補修に有効に利用される。
【符号の説明】
【００４８】
１  防水施工パネル、３  パネル本体、５  板状部、５ａ  貫通孔、７  リブ、９、９ａ、９ｂ、９ｃ  防水滑り止め部材、１１  コーナー部材、１３  リベット、１３ａ  心棒、１３ｂ  頭部、１３ｃ  筒状部、１３ｄ  鍔部、１５  平板パネル、１７  エポキシ樹脂、１９  マスキングテープ、５０  厨房、５１  床面、５１ａ  孔、５３  壁面。
【図１】
0006506544.tif 000002
【図２】
0006506544.tif 000003
【図３】
0006506544.tif 000004
【図４】
0006506544.tif 000005
【図５】
0006506544.tif 000006
【図６】
0006506544.tif 000007
【図７】
0006506544.tif 000008
【図８】
0006506544.tif 000009
【図９】
0006506544.tif 000010
【図１０】
0006506544.tif 000011
【図１１】
0006506544.tif 000012
【図１２】
0006506544.tif 000013
【図１３】
0006506544.tif 000014
【図１４】
0006506544.tif 000015
【図１５】
0006506544.tif 000016